(57)【要約】      （修正有）【課題】エネルギの消費を抑制しつつ、グリル庫内を確実に照明して、被調理物の調理状態の確認などを容易に行うことが可能で、しかも、発光部の耐熱性に関する問題が生じないガスグリルを提供する。【解決手段】前面パネル１１の後方に配設され、閉止状態のグリル扉３の存在側に向けて光を照射する発光体４１と、発光体から照射された光を把持部４０に導く導光部５０と、把持部に配設され、導光部によって導かれた光を窓２の存在する後方に向けて偏向する偏向部６０を備え、発光体からの光が、把持部に配設された偏向部から窓の存在する後方に向けて照射され、窓を透過してグリル庫１０内に照射されるように構成する。【選択図】図２
2017196018.tif 000002
【特許請求の範囲】
【請求項１】
グリル本体の前面に設けた開口部から内部に被調理物が収納され、グリル調理が行われるグリル庫と、
開閉操作を行うことにより、前記開口部が閉じられた閉止状態と、前記開口部が開放された開放状態とを切り換える、透明な材料からなる窓を備えたグリル扉と、
前記グリル扉の前面に、前方に突出するように配設された、前記グリル扉の開閉操作を行う際に把持される把持部と、
前記グリル本体の前面に、前記グリル扉と隣り合うように配設され、前記閉止状態における前記グリル扉と面一になるように構成された前面パネルと、
を備えたガスグリルであって、
前記前面パネルの後方に配設され、前記閉止状態の前記グリル扉の存在側に向けて光を照射する発光体と、
前記発光体から照射された光を前記把持部に導く導光部と、
前記把持部に配設され、前記導光部によって導かれた光を前記窓の存在する後方に向けて偏向する偏向部と、を備え、
前記発光体からの光が、前記導光部および前記偏向部を経て前記窓に達し、前記窓を透過して前記グリル庫内に照射されるように構成されていること
を特徴とするガスグリル。
【請求項２】
前記発光体を複数備えていることを特徴とする請求項１記載のガスグリル。
【請求項３】
一つの前記発光体に対して、一つの前記偏向部を備えていることを特徴とする請求項１または２記載のガスグリル。
【請求項４】
一つの前記発光体に対して、複数の前記偏向部を備えていることを特徴とする請求項１または２記載のガスグリル。
【発明の詳細な説明】
【技術分野】
【０００１】
本発明は、ガスグリルに関し、詳しくは、グリル扉に窓を設けてグリル庫内部を視認できるようにしたガスグリルに関する。
【背景技術】
【０００２】
ガスグリルの中には、グリル扉に窓を設け、グリル庫の内部を視認して被調理物の調理状態などを確認することができるようにしたガスグリルがある。そして、そのようなガスグリルの１つに、特許文献１に記載されているようなガスグリルがある。
【０００３】
すなわち、特許文献１には、グリル庫の前面開口を開閉するグリル扉に透明な覗き窓を設け、グリル庫内に設けた調理用バーナによりグリル庫内の調理品（被調理物）を加熱して調理するガスグリルであって、グリル庫内の上部に設けられてガスバーナの炎により白熱されるガスマントルを光源として、グリル庫の内部を照明するようにしたガスグリルが開示されている。
【０００４】
そして、この特許文献１のガスグリルによれば、グリル庫内が照明されるため、グリル庫内部の被調理物を透明な覗き窓から目視して、その調理状態を確認しやすくなるとされている。
【先行技術文献】
【特許文献】
【０００５】
【特許文献１】特開平８−１９１７６６号公報
【発明の概要】
【発明が解決しようとする課題】
【０００６】
しかしながら、特許文献１のガスグリルは、ガスの燃焼炎によりガスマントルを白熱させて光源としており、ガスの燃焼による熱エネルギを光エネルギに変換するものであることから、電気エネルギから光エネルギを得る場合に比べて、同じ光エネルギを得るためには多くのエネルギを消費する。したがって、省エネルギの観点からは、改善の余地があるのが実情である。
【０００７】
これに対し、例えば、電球や冷陰極管やＬＥＤなど、電気によって光を照射する発光部をグリル庫内に設け、省エネルギ化を図ることも考えられるが、その場合には、一般的に、グリル調理時のグリル庫内は高温になるため、発光部の耐熱性に関し、新たな問題が生じることになる。
【０００８】
本発明は、上記の課題を解決するものであり、エネルギの消費を抑制しつつ、グリル庫内を確実に照明して、被調理物の調理状態の確認などを容易に行うことが可能で、しかも、発光部の耐熱性に関する問題が生じないガスグリルを提供することを目的とする。
【課題を解決するための手段】
【０００９】
上記の目的を達成するために、本発明のガスグリルは、
グリル本体の前面に設けた開口部から内部に被調理物が収納され、グリル調理が行われるグリル庫と、
開閉操作を行うことにより、前記開口部が閉じられた閉止状態と、前記開口部が開放された開放状態とを切り換える、透明な材料からなる窓を備えたグリル扉と、
前記グリル扉の前面に、前方に突出するように配設された、前記グリル扉の開閉操作を行う際に把持される把持部と、
前記グリル本体の前面に、前記グリル扉と隣り合うように配設され、前記閉止状態における前記グリル扉と面一になるように構成された前面パネルと、
を備えたガスグリルであって、
前記前面パネルの後方に配設され、前記閉止状態の前記グリル扉の存在側に向けて光を照射する発光体と、
前記発光体から照射された光を前記把持部に導く導光部と、
前記把持部に配設され、前記導光部によって導かれた光を前記窓の存在する後方に向けて偏向する偏向部と、を備え、
前記発光体からの光が、前記導光部および前記偏向部を経て前記窓に達し、前記窓を透過して前記グリル庫内に照射されるように構成されていること
を特徴としている。
【００１０】
また、本発明のガスグリルにおいては、前記発光体を複数備えていることが好ましい。
【００１１】
また、本発明のガスグリルにおいては、一つの前記発光体に対して、一つの前記偏向部を備えた構成とすることができる。
【００１２】
また、本発明のガスグリルにおいては、一つの前記発光体に対して、複数の前記偏向部を備えた構成とすることも可能である。
【発明の効果】
【００１３】
本発明のガスグリルは、上述のように構成されており、前面パネルの後方に配設され、閉止状態のグリル扉の存在側に向けて光を照射する発光体と、発光体から照射された光を把持部に導く導光部と、把持部に配設され、導光部によって導かれた光を窓の存在する後方に向けて偏向する偏向部を備え、発光体からの光が、導光部および偏向部を経て窓に達し、窓を透過してグリル庫内に照射されるように構成されているので、エネルギの消費を抑制しつつ、グリル庫内を確実に照明して、グリル庫内の被調理物の調理状態の確認などを容易に行うことが可能で、しかも、発光部の耐熱性に関する問題が生じないガスグリルを提供することができる。
【００１４】
なお、上記導光部は、通常、ミラーなどの反射板で構成されるが、発光体から照射された光を把持部に導くことができればよいので、導光部を構成するミラーなどの反射板の配設位置に特別の制約はなく、前面パネルの後方や、把持部などに配設することが可能である。また、導光部をミラーなどの反射板で構成する場合における、ミラーなどの反射板の配設数にも特別の制約はなく、そのうちの一部を前面パネルの後方に配置し、他の一部を把持部に配設するように構成することも可能である。
【００１５】
また、発光体を複数備えた構成とすることにより、グリル庫により確実に光を照射することができる。
【００１６】
また、一つの発光体に対して、一つの偏向部を備えた構成とした場合、構成を簡潔にして、製造コストを低減することが可能になるとともに、把持部が大型化することを抑制することができる。
【００１７】
また、一つの発光体に対して、複数の偏向部を備えた構成とした場合、窓の前方からグリル庫内に向けて照射される光の分布を良好にすることが可能になり、窓を通してグリル庫の内部をより視認しやすくなる。
【図面の簡単な説明】
【００１８】
【図１】本発明の実施形態１にかかるガスグリルを備えたグリル付きガスコンロの外観構成を示す正面図である。
【図２】本発明の実施形態１にかかるガスグリルを備えたグリル付きガスコンロの要部平断面図である。
【図３】本発明の実施形態１にかかるガスグリルを備えたグリル付きガスコンロの要部側断面図である。
【図４】本発明の実施形態２にかかるガスグリルを備えたグリル付きガスコンロの要部平断面図である。
【図５】本発明の実施形態２にかかるガスグリルを備えたグリル付きガスコンロの要部側断面図である。
【発明を実施するための形態】
【００１９】
以下、本発明の実施形態を示して、その特徴とするところをさらに詳しく説明する。
【００２０】
［実施形態１］
図１は、本発明の実施形態（実施形態１）にかかるガスグリルＧを備えたガスグリル付き２口ガスコンロ（以下、単にグリル付きガスコンロという）を示す図である。
【００２１】
このグリル付きガスコンロ１００は、ガスコンロ本体５の前方に設けた開口部１から被調理物（図示せず）を収納するグリル庫１０を備えている。なお、ガスコンロ本体５は、本発明におけるグリル本体でもある。
【００２２】
また、このグリル付きガスコンロ１００は、開閉操作を行うことにより開口部１を閉じた閉止状態とし、また、開口部１を開放した開放状態とすることができるように構成された、透明な材料（この実施形態１では耐熱ガラス）からなる窓２を備えたグリル扉３を備えている。
【００２３】
また、ガスコンロ本体（グリルグリル本体）５の前面には、グリル扉３と隣り合うように、グリル扉３の左側および右側に、前面パネル１１（１１ａ，１１ｂ）が配設されている。
【００２４】
なお、前面パネル１１（１１ａ，１１ｂ）の下側部分には、使用するときには前方に回動して突出し、使用しないとき収納される、いわゆるカンガルーポケット式に構成された左側および右側のコンロ用点消火操作部１２ａ，１２ｂが配設されている。詳しくは、グリル扉３の左側の前面パネル１１ａの下側部分には、左コンロ２１ａ用の点消火操作部１２ａが、グリル扉３の右側の前面パネル１１ｂの下側部分には、右コンロ２１ｂ用の点消火操作部１２ｂが、それぞれ配設されており、左コンロ２１ａ用の点消火操作部１２ａの前面は左側の前面パネル１１ａの一部を構成しており、右コンロ２１ｂ用の点消火操作部１２ｂの前面は右側の前面パネル１１ｂの一部を構成している。
【００２５】
また、左側の前面パネル１１ａの左コンロ２１ａ用の点消火操作部１２ａの上側には、グリルＧ用の点消火操作部１２ｃが配置されている。
【００２６】
このグリル付きガスコンロ１００において、グリル扉３の閉止状態において、グリル扉３の前面と前面パネル１１（１１ａ，１１ｂ）とが面一となるように構成されている。
【００２７】
また、グリル扉３の前面には、前方に突出するような態様で把持部４０が設けられている（図２、図３参照）。
【００２８】
そして、図２に示すように、左側の前面パネル１１（１１ａ）の後方には、閉止状態のグリル扉３の存在側に向けて光を照射する第１の発光体（例えば、ＬＥＤからなる光源）４１（４１ａ）を備えており、右側の前面パネル１１（１１ｂ）の後方には、閉止状態のグリル扉３の存在側に向けて光を照射する第２の発光体（例えば、ＬＥＤからなる光源）４１（４１ｂ）を備えている。
【００２９】
また、照明スイッチ（図示せず）のＯＮ操作によって第１および第２の発光体４１ａ，４１ｂから光が照射され、照明スイッチ（図示せず）のＯＦＦ操作によって第１および第２の発光体４１ａ，４１ｂからの光の照射が停止するように構成されている。
【００３０】
そして、第１および第２の発光体４１ａ，４１ｂから照射される光を、把持部４０に導く第１の導光部５０（５０ａ）（図２）および第２の導光部５０（５０ｂ）を備えている（図２、図３参照）。
【００３１】
なお、第１の導光部５０（５０ａ）は、第１の反射板５１ａおよび第２の反射板５２ａの２つの反射板から構成されており、第２の導光部５０（５０ｂ）は、第１の反射板５１ｂ、第２の反射板５２ｂの２つの反射板から構成されている。
【００３２】
さらに、把持部４０には、上述の第１の導光部５０（５０ａ）および第２の導光部５０（５０ｂ）によって導かれた光を、グリル扉３の窓２に向けて偏向する偏向部６０が配設されている。
【００３３】
そして、偏向部６０は、左側の第１の発光体４１ａから、第１の導光部５０（５０ａ）によって導かれた光を、グリル扉３の窓２に向けて偏向する第１の偏向部６０（６０ａ）と、右側の第２の発光体４１ｂから、第２の導光部５０（５０ｂ）によって導かれた光をグリル扉３の窓２に向けて偏向する第２の偏向部６０（６０ｂ）の２つの偏向部から構成されている。
【００３４】
すなわち、この実施形態１においては、グリル庫１０の左側に配設された一つの発光体４１（４１ａ）に対し、一つの偏向部（第１の偏向部６０ａ）を備えており、また、グリル庫１０の右側に配設された一つの発光体４１（４１ｂ）に対し、一つの偏向部（第２の偏向部６０ｂ）を備えている。なお、偏向部６０ａ，６０ｂは、反射板から構成されている。
【００３５】
そして、偏向部６０（６０ａ，６０ｂ）で偏向された光が、グリル扉３の窓２を透過してグリル庫１０内に照射されるように構成されている。
【００３６】
この実施形態１のグリル付きガスコンロは上述のように構成されており、発光体４１（４１ａ，４２ｂ）から、導光部５０（５０ａ，５０ｂ）を経て把持部４０に配設された偏向部６０（６０ａ，６０ｂ）に達した光が、偏向部６０（６０ａ，６０ｂ）で、窓２の存在する後方に向けて偏向され、窓２を透過してグリル庫１０内に照射されるように構成されているので、エネルギの消費を抑制しつつ、グリル庫１０内を確実に照明することができる。
【００３７】
したがって、グリル庫１０内の被調理物の調理状態の確認などを容易に行うことが可能で、しかも、発光部４１（４１ａ，４１ｂ）の耐熱性に関する問題が生じないグリル付きガスコンロを提供することができる。
【００３８】
また、複数の発光体４１（４１ａ，４１ｂ）を備えるとともに、各発光体４１（４１ａ，４１ｂ）のそれぞれに対応して、導光部５０（５０ａ，５０ｂ）と、偏向部６０（６０ａ，６０ｂ）を備えているので、窓２の前方からグリル庫１０内に向けて照射される光の分布を良好にすることが可能になり、窓２を通してグリル庫の内部をより視認しやすくなる。
【００３９】
ただし、複数の発光体４１（４１ａ，４１ｂ）を備え、各発光体４１（４１ａ，４１ｂ）のそれぞれに対応するように導光部５０（５０ａ，５０ｂ）と、偏向部６０（６０ａ，６０ｂ）を備えるようにした構成は任意の構成であり、例えば、右側か左側のいずれか一つの発光体４１と、それに対応する一つの導光部５０および一つの偏向部６０を備えた構成とすることも可能である。そのように構成した場合、構成が簡潔になり、製造コストの増大を抑制することができる。
【００４０】
［実施形態２］
図４は、本発明の他の実施形態（実施形態２）にかかるグリル付きガスコンロの構成を示す要部平断面図、図５は、要部側断面図である。
【００４１】
この実施形態２にかかるグリル付きガスコンロ１００では、上述の実施形態１の場合同様に、左側の前面パネル１１（１１ａ）の後方に、閉止状態のグリル扉３の存在側に向けて光を照射する第１の発光体４１ａ、右側の前面パネル１１（１１ｂ）の後方に、閉止状態のグリル扉３の存在側に向けて光を照射する第２の発光体４１ｂを備えている。
【００４２】
また、実施形態１の場合と同様に、第１および第２の発光体４１ａ，４１ｂから照射される光を、把持部４０に導く第１の導光部５０（５０ａ）（図４）および第２の導光部５０（５０ｂ）を備えている（図４、図５参照）。
【００４３】
そして、この実施形態２のグリル付きガスコンロ１００も偏向部６０を備えている。具体的には、図４、図５に示すように、左側の第１の発光体４１ａに対して、複数（３つ）の偏向部１６０ａ1，１６０ａ2，１６０ａ3を備え、また、右側の第２の発光体４１ｂに対して、複数（３つ）の偏向部１６０ｂ1，１６０ｂ2，１６０ｂ3を備えている。なお、各偏向部１６０ａ1，１６０ａ2，１６０ａ3，１６０ｂ1，１６０ｂ2，１６０ｂ3はいずれも反射板から構成されている。
【００４４】
この実施形態２のグリル付きコンロ１００の場合、複数（２つ）の発光体４１ａ，４１ｂを備えるとともに、左側の第１の発光体４１ａに対して複数（３つ）の偏向部１６０1，１６０ａ2，１６０ａ3を設け、右側の第２の発光体４１ｂに対して複数（３つ）の偏向部１６０ｂ1，１６０ｂ2，１６０ｂ3を設けるようにしているので、窓２の前方からグリル庫１０内に向けて照射される光の分布をさらに良好にすることができる。
【００４５】
なお、実施形態２では、複数（２つ）の発光体４１ａ，４１ｂを備えるとともに、各発光体４１ａ，４１ｂのそれぞれに対して、偏向部を複数（３つ）設けるようにしているが、一つの発光体のみを備えた構成とし、該一つの発光体について複数の偏向部を備えた構成とすることも可能である。
その場合も、一つの発光体に対して一つの偏向部を設けた構成に比べて、グリル庫１０内に照射される光の分布の良好なグリル付きガスコンロを提供することができる。
【００４６】
上記の実施形態１および２では、本発明のガスグリルがグリル付きコンロに適用される場合を例示して説明したが、本発明はグリル単能機にも適用することが可能である。
【００４７】
本発明は、さらにその他の点においても上記実施形態や変形例に限定されるものではなく、発明の範囲内において、種々の応用、変形を加えることが可能である。
【符号の説明】
【００４８】
１          開口部
２          窓
３          グリル扉
５          ガスコンロ本体（グリル本体）
１０        グリル庫
１１        前面パネル
１１ａ      左側の前面パネル
１１ｂ      右側の前面パネル
１２ａ      左側コンロ用の点消火操作部
１２ｂ      右側コンロ用の点消火操作部
１２ｃ      グリル用の点消火操作部
２１ａ      左コンロ
２１ｂ      右コンロ
４０        把持部
４１        発光体
４１ａ      第１の発光体（ＬＥＤ）
４１ｂ      第２の発光体（ＬＥＤ）
５０        導光部
５０ａ      第１の導光部
５０ｂ      第２の導光部
５１ａ      第１の導光部を構成する第１の反射板
５２ａ      第１の導光部を構成する第２の反射板
５１ｂ      第２の導光部を構成する第１の反射板
５２ｂ      第２の導光部を構成する第２の反射板
６０        偏向部
６０ａ      第１の偏向部
６０ｂ      第２の偏向部
１６０ａ1，１６０ａ2，１６０ａ3    左側の発光体に対応する各偏向部
１６０ｂ1，１６０ｂ2，１６０ｂ3    右側の発光体に対応する各偏向部
１００      グリル付きガスコンロ
Ｇ          ガスグリル
【図１】
2017196018.tif 000003
【図２】
2017196018.tif 000004
【図３】
2017196018.tif 000005
【図４】
2017196018.tif 000006
【図５】
2017196018.tif 000007